(57)【要約】  プラズマディスプレイパネル(1,2,3,4,5)は、等間隔に配列された表示電極(X,Xb,Xc,Xd,Y,Yb,Yc,Yd)を有する前面板と、表示電極と交差するアドレス電極を有する背面板とを備える。表示電極(X,Xb,Xc,Xd,Y,Yb,Yc,Yd)のそれぞれが、画面(60)内で平行に延び且つ画面(60)の外に延在して互いが接続された第１および第２のバス部分(151,152,161,162)をもつ金属帯(15,15b16,16b)と、画面(60)内で第１および第２のバス部分(151,152,161,162)の少なくとも一方と接し且つそれらの間に拡がる透明導体(13,13b,13c,13d,13e,13f,14,14b,14c,14d,14e,14f)とから構成される。
2008020484.tif 000002
【特許請求の範囲】
【請求項１】
等間隔に配列された表示電極を有する前面板と、前記表示電極と交差するアドレス電極を有する背面板とを備えたプラズマディスプレイパネルであって、
前記表示電極のそれぞれが、画面内で平行に延び且つ画面の外に延在して互いが接続された第１および第２のバス部分をもつ金属帯と、画面内で前記第１および第２のバス部分の少なくとも一方と接し且つそれらの間に拡がる透明導体とから構成される
ことを特徴とするプラズマディスプレイパネル。
【請求項２】
前記各表示電極の透明導体は、前記第１および第２のバス部分を前記画面の全長にわたって覆う帯状に形成されている
請求項１に記載のプラズマディスプレイパネル。
【請求項３】
前記表示電極のそれぞれが、前記金属帯と、前記金属帯の前記第１および第２のバス部分と接し且つそれらの間に拡がる等間隔に配置された複数の透明導体とから構成される
請求項１に記載のプラズマディスプレイパネル。
【請求項４】
前記背面板は、垂直壁部分と水平壁部分とからなる平面視格子状の隔壁と、前記水平壁部分の側面に付着する複数の蛍光体とを有しており、
前記表示電極のそれぞれが、前記金属帯と、前記金属帯における前記第１のバス部分と接し且つ当該第１のバス部分から前記水平壁部分を覆わないように前記第２のバス部分へ向かって張り出す第１の透明導体と、前記第２のバス部分と接し且つ当該第２のバス部分から前記水平壁部分を覆わないように前記第１のバス部分へ向かって張り出す第２の透明導体とから構成される
請求項１に記載のプラズマディスプレイパネル。
【請求項５】
前記表示電極の金属帯における前面側の表層部分が暗色である
請求項１に記載のプラズマディスプレイパネル。
【発明の詳細な説明】
【技術分野】
【０００１】
本発明は前面板に等間隔に配列された表示電極の電極間で生じる放電によって発光するプラズマディスプレイパネルに関し、詳しくは表示電極の構成の改良に関する。
【背景技術】
【０００２】
カラー映像を表示する典型的なプラズマディスプレイパネルは平行に延びる表示電極を備えており、平行な電極の電極間で生じるいわゆる面放電形式の表示放電によって発光する。表示電極は蛍光体からなる発光面の前側に配置される。そのため、表示電極のそれぞれは、太い帯状またはその一部を切り欠いたパターンをもつ透明導体とバス（母線）と呼ばれる細い金属帯とで構成される。透明導体はセル内に所定の放電面を形成し、金属帯は放電面への通電を良好にする。【０００３】
表示電極の配列には２つの形態がある。第１は、画面における表示ラインのそれぞれに個別に表示電極対が対応する基本的な形態である。表示電極の総数は表示ライン数の２倍である。この第１の形態の配列は等間隔ではない。通常、各表示ラインにおける電極間隙の寸法である面放電ギャップ長よりも隣接する表示ラインの間の電極間隙寸法が大きい。第２は、各表示ラインに対応する表示電極対の各表示電極が隣接する表示ラインにも対応する形態である。表示電極の総数は表示ライン数に１を加えた数である。この第２の形態の配列は等間隔であり、その間隔が面放電ギャップ長である。【０００４】
上記２つの形態のうち、第２の形態が採用されたプラズマディスプレイパネルに本発明は適用される。第１の基本的な形態では、各行が制御の上で独立しているので比較的に簡単な駆動シーケンスによってプログレッシブ表示を実現することができる。しかし、隣り合う表示ラインどうしの電極間隙（逆スリットと呼称される）が非発光領域となる。これに対して、第２の形態では全ての表示電極間隙が発光領域となる。画面の利用率および垂直解像度（表示ライン数）の観点で第１の形態よりも第２の形態が優れている。【０００５】
次に、第２の形態が採用された従来のＡＣプラズマディスプレイパネルの構成をさらに詳しく説明する。【０００６】
図１は、例えば特開２００２−２０２７５０号公報に記載されている従来のプラズマディスプレイパネルのセル構造を示す。図１において、プラズマディスプレイパネル９は前面板１０ｚと背面板２０ｚとを備える。図では前面板１０ｚと背面板２０ｚとが離れているが、実際はこれらは当接する。前面板１０ｚは、ガラス基板１１、第１の表示電極Ｘｚ、第２の表示電極Ｙｚ、ＡＣ駆動のための誘電体層１７、および誘電体層１７に対するスパッタリングを防ぐ保護膜１８を備える。背面板２０ｚは、ガラス基板２１、第３の電極であるアドレス電極Ａ、誘電体層２２、等間隔に配置された複数の隔壁２３、赤（Ｒ）の蛍光体２７、緑（Ｇ）の蛍光体２８、および青（Ｂ）の蛍光体２９を備える。【０００７】
表示電極Ｘｚおよび表示電極Ｙｚはガラス基板１１の内面に交互に且つ等間隔に配列されており、隣り合う表示電極Ｘｚと表示電極Ｙｚとが面放電のための電極対を構成する。表示電極Ｘｚは透明導体１３ｚとそれに積層された金属帯１５ｚとから構成され、表示電極Ｙｚのそれぞれは透明導体１４ｚとそれに積層された金属帯１６ｚとから構成される。【０００８】
図２は表示電極Ｘｚ，Ｙｚの金属帯１５ｚ、１６ｚのパターンを示す。図２では透明導体１３ｚ、１４ｚの図示が省略されている。金属帯１５ｚ、１６ｚは画面６０ｚからガラス基板１１の端縁の近傍まで延長されており、それぞれの先端に駆動ユニットとの接続のための端子Ｔｘ，Ｔｙが設けられている。図において、表示電極Ｘｚの端子Ｔｘはガラス基板１１の左端側に配置され、表示電極Ｙｚの端子Ｔｙはガラス基板１１の右端側に配置されている。端子Ｔｘの配列ピッチは画面６０ｚでの表示電極Ｘｚの配列ピッチと異なるので、金属帯１５ｚの左端の部分（端子Ｔｘを含む）は屈曲した線状にパターニングされている。この屈曲した部分は透明導体１３ｚと金属帯１５ｚとの積層ではなく、金属帯１５ｚのみからなる。同様に、表示電極Ｙｚの右端の部分（端子Ｔｙを含む）は屈曲した線状にパターニングされており、この屈曲した部分は金属帯１６ｚのみからなる。【０００９】
図３は画面内の表示電極Ｘｚ，Ｙｚのパターンを示す。表示電極Ｘｚの透明導体１３ｚと表示電極Ｙｚの透明導体１５ｚは同じパターンをもつ。例示では、透明導体１３ｚ，１４ｚのパターンは、水平方向に延びる長い直線部分と、隔壁２３で区画される領域のそれぞれにおいて直線部分から両側にそれぞれ張り出したＴ字状部分とで構成される。透明導体１３ｚ，１４ｚの直線部分に金属帯１５ｚ，１６ｚが接する。金属帯１５ｚ、１６ｚは透明導体１３ｚ、１４ｚの直線部分よりも若干細い。このような表示電極Ｘｚにおける透明導体１３ｚのＴ字状部分とそれに隣接する表示電極Ｙｚにおける透明導体１５ｚのＴ字状部分との間隙が表示ラインＬ１，Ｌ２，Ｌ３に対応する。【００１０】
なお、表示ラインＬ１，Ｌ２，Ｌ３のそれぞれは、マトリクス表示の１行に対応する仮想のラインである。表示ラインＬ１，Ｌ２，Ｌ３とアドレス電極Ａとの交点にセルが画定される。【００１１】
従来例の表示電極の構成において注意すべきことは、金属帯１５ｚ，１６ｚが該当する表示電極Ｘｚ、Ｙｚにおける幅方向の中央、面放電ギャップから最も遠い位置に配置されていることである。【００１２】
以上の従来例における表示電極の改良が特開２００５−１０４２４号公報に開示されている。同公報の図１６および図２６に示された表示電極は、梯子状の金属帯と金属帯の両側（面放電ギャップに近い側）に配置された２本の帯状の透明導体から構成される。この改良の目的は垂直方向における放電の過剰な拡がりの防止である。【００１３】
一方、上記第１の形態の電極配列が採用されたプラズマディスプレイパネルに関して、特開２００４−２９６４４１号公報は各表示電極における幅方向の面放電ギャップ側に金属帯を配置することを提案している。一般的な構造における金属帯の配置位置は面放電ギャップから遠い側である。この提案における改良の目的は面放電の強度を高めることである。
【特許文献１】特開２００２−２０２７５０号公報
【特許文献２】特開２００５−１０４２４号公報
【特許文献３】特開２００４−２９６４４１号公報
【発明の開示】
【発明が解決しようとする課題】
【００１４】
ＡＣプラズマディスプレイパネルによる表示に際しては、広く知られるようにアドレッシング、サステイン、およびリセットが行われる。アドレッシングはセルの壁電荷量を表示データに応じて２値制御する操作であり、選択されたセル（例えば発光すべきセル）でアドレス放電を起こす。サステインは発光すべきセルで階調に応じた回数の表示放電を起こす操作である。リセットは壁電荷量を初期化する操作であり、少なくとも直前のサステインで発光したセルでリセット放電を起こす。【００１５】
プラズマディスプレイパネルによる表示に関する課題として背景発光の低減がある。背景発光は画像の黒い部分がうっすらと光って見える不具合であり、アドレス放電やリセット放電といった表示放電以外の放電に起因する。表示放電が階調を決めるために不可欠であり且つ表示放電以外の放電も表示放電を正しく表示させるために不可欠であるので、背景発光を完全に無くすのは困難である。しかし、コントラストを高める上で、背景発光量はより少ないのが望ましい。【００１６】
また、ＣＲＴ（陰極線管）を含む他のディスプレイと共通の課題として管面反射率の低減がある。太陽光や蛍光灯などの外光の画面での反射を軽減することによって、コントラストが高まる。【００１７】
本発明は、このような事情に鑑みてなされたものであり、等間隔に配列された表示電極を備えたプラズマディスプレイパネルによる表示におけるコントラストの向上を目的としている。【００１８】
上記目的を達成するプラズマディスプレイパネルは、等間隔に配列された表示電極を有する前面板と、表示電極と交差するアドレス電極を有する背面板とを備える。表示電極のそれぞれは、画面内で平行に延び且つ画面の外に延在して互いが接続された第１および第２のバス部分をもつ金属帯と、画面内で前記第１および第２のバス部分の少なくとも一方と接し且つそれらの間に拡がる透明導体とから構成される。【００１９】
好ましいプラズマディスプレイパネルの背面板は、垂直壁部分と水平壁部分とからなる平面視格子状の隔壁と、前記水平壁部分の側面に付着する複数の蛍光体とを有している。前面板において、表示電極のそれぞれは、前記金属帯と、前記金属帯における第１のバス部と接し且つ当該第１のバス部から水平壁部分を覆わないように第２のバス部分へ向かって張り出す第１の透明導体と、第２のバス部分と接し且つ当該第２のバス部分から水平壁部分を覆わないように第１のバス部分へ向かって張り出す第２の透明導体とから構成される。【００２０】
他の好ましいプラズマディスプレイパネルにおいては、表示電極の金属帯における前面側の表層部分が暗色である。この特徴は管面反射率をより低減するのに有用である。
【図面の簡単な説明】
【００２１】
【図１】従来のプラズマディスプレイパネルのセル構造を示す分解斜視図である。
【図２】従来のプラズマディスプレイパネルにおける表示電極の金属帯パターンを示す図である。
【図３】従来のプラズマディスプレイパネルにおける画面内の表示電極パターンを示す図である。
【図４】本発明の実施に係る表示電極の金属帯パターンを示す図である。
【図５】第１実施形態の表示電極パターンを示す図である。
【図６】アドレス放電および表示放電のそれぞれによる発光への金属帯の影響を示す図である。
【図７】第１実施形態の表示電極パターンの変形例を示す図である。
【図８】第２実施形態の表示電極パターンおよび隔壁パターンを示す図である。
【図９】第３実施形態の表示電極パターンおよび隔壁パターンを示す図である。
【図１０】図９のａ−ａ矢視に対応する断面構造を示す図である。
【図１１】第４実施形態の表示電極パターンを示す図である。
【発明を実施するための最良の形態】
【００２２】
本発明の実施に係るプラズマディスプレイパネルは、基本的には図１に示した従来例と同様の構成をもつ。すなわち、以下に例示される複数のプラズマディスプレイパネルはいずれも、ガス封入空間を挟む前面板と背面板、およびガス封入空間に充填された放電ガスから構成され、行および列に配置されたセルからなる所定サイズの画面を有する。前面板は第１および第２の表示電極、誘電体層、および保護膜を備え、背面板はアドレス電極、１つまたは複数の隔壁、および３種の蛍光体を備える。以下の説明に用いる図では構成の理解を容易にするため、従来例に対応する構成要素に図１と共通の符合を付してある。また、実施形態を示す複数の図において相互に対応する構成要素にも共通の符合を付してある。記述を重複させないため、基本的構成の説明を省略し、各図が示す特徴に重点をおいて実施の形態を説明する。【００２３】
〔第１実施形態〕図４が示すように、プラズマディスプレイパネル１における前面側のガラス基板１１には、後述する第１および第２の表示電極の要素である金属帯１５，１６が配列されている。図２との比較から明らかなように、各金属帯１５，１６は画面６０に対応する領域の内部において２つの部分に分かれているという特徴をもつ。すなわち、各金属帯１５は、画面６０内で平行に延びる第１のバス部分１５１と第２のバス部分１５２とを含む。バス部分１５１，１５２は画面６０の外に延在して接続部分１５３によって互いが接続されている。接続部分１５３は端子Ｔｘに繋がっている。同様に、各金属帯１６は平行な２つのバス部分１６１，１６２とこれらを画面６０の外で接続する接続部分１６３からなる。【００２４】
図５が示すように、プラズマディスプレイパネル１は等間隔に交互に配列された第１の表示電極Ｘおよび第２の表示電極Ｙを備える。これら電極の互いの間の間隙が表示ラインＬ１，Ｌ２，Ｌ３に対応する。表示電極Ｘは複数の薄い透明導体１３と上述の金属帯１５とで構成され、表示電極Ｙも複数の薄い透明導体１４と上述の金属帯１６で構成される。【００２５】
表示電極Ｘの透明導体１３および表示電極Ｙの透明導体１４は、隔壁２３の配列の間隙に１個ずつ配置され、面放電を画面の垂直方向に拡げる役割を担う。各表示電極Ｘにおいて、透明導体１３は金属帯１５の２本のバス部分１５１，１５２の両方と接し且つそれらの間に拡がる。図示の透明導体１３はバス部分１５１，１５２に跨る長方形である。同様に、各表示電極Ｙにおいて、透明導体１４は金属帯１６の２本のバス部分１６１，１６２の両方と接し且つそれらの間に拡がる。透明導体１４の形状および大きさは透明導体１３と同一である。【００２６】
このように幅方向の両端部に金属からなるバス部分が配置されて幅方向の中央部が透明または空隙である表示電極Ｘ，Ｙは、図６（Ａ）と図３との対比により明らかなように背景発光の低減に有用である。【００２７】
図６（Ａ）において、表示電極Ｘと表示電極Ｙとの電極間（面放電ギャップ）で背景発光として知覚されるアドレス放電またはリセット放電による比較的に小規模の発光６３が生じている。そして、この発光６３が表示電極Ｘのバス部分１５２と表示電極Ｙのバス部分１６１とによって部分的に遮光されている。【００２８】
これに対して図３の従来例では、表示電極Ｘｚと表示電極Ｙｚとの電極間で生じた発光６３が実質的に遮光されない。それは遮光体である金属帯１５ｚ、１６ｚが表示電極間隙から離れており、発光６３が生じる領域の前面側に存在しないからである。表示電極Ｘｚ、Ｙｚにおける発光６３を覆う部分は透明導体１３ｚ、１４ｚである。【００２９】
図６（Ｂ）が示すとおり、表示放電による比較的に大規模の発光６４もバス部分１５１，１５２，１６１，１６２によって部分的に遮光されるものの、発光面積に対する遮光面積の割合が小さいので、表示の輝度にはほとんど影響がない。例えば、各表示電極の２本のバス部分のパターン幅の合計が従来例の金属帯１５ｚ、１６ｚのパターン幅と同一であれば、本発明の実施例と従来例とで大規模の発光６４に係る遮光面積に差はない。【００３０】
面放電ギャップの近傍に金属部分が存在するという要件を満たす範囲で、表示電極Ｘ，Ｙのパターンを種々変形することができる。図７はその一例である。【００３１】
図７において、プラズマディスプレイパネル２における表示電極Ｘｂ，Ｙｂは梯子状の透明導体１３ｂ、１４ｂを有する。詳しくは、表示電極Ｘｂの透明導体１３ｂは、水平方向に延びて金属膜１５のバス部分１５１，１５２を覆う２本の帯部分１３１，１３２と、帯部分１３１，１３２に跨る複数の短冊部分１３３とからなる。短冊部分１３３が上述の図５の例における透明導体１３に対応する。同様に、表示電極Ｙｂの透明導体１４ｂは、２本の帯部分１４１，１４２と複数の短冊部分１４３とからなる。【００３２】
図７の透明導体パターンにおいて、画面内で金属帯１５，１６のバス部分１５１，１５２，１６１，１６２の全体が透明導体１３ｂ，１４ｂと重なることには、金属帯１５，１６と透明導体１３ｂ，１４ｂとぼ接触抵抗が低減されて導通が安定すること、金属帯１５，１６と透明導体１３ｂ，１４ｂと位置合わせにおける要求精度が緩和されること、およびステップカバレッジの不良に起因するバス部分１５１，１５２，１６１，１６２の断線が起こりにくくなるといった利点がある。【００３３】
〔第２実施形態〕図８が示すプラズマディスプレイパネル３はメッシュ状の隔壁２４を備える。隔壁２４は、図の上下方向である画面の垂直方向に延びる複数の垂直壁部分２５と、画面の水平方向に延びる複数の水平壁部分２６とで構成される。各垂直壁部分２５は、表示ラインＬ１，Ｌ２，Ｌ３のそれぞれに対応する多数のセルの間の境界を定める。各水平壁部分２６は、マトリクス表示の１つの列に対応するセルの間の境界を定める。すなわち、隔壁２４は画面の各セルに対して四方が囲まれた放電ガス空間を提供する。【００３４】
プラズマディスプレイパネル３は図５のプラズマディスプレイパネル１と同じ構成の表示電極Ｘ，Ｙを備える。表示電極Ｘ，Ｙはそれぞれの幅方向の中央が隔壁２４の水平壁部分２６の位置に合うように配置される。表示電極Ｘ，Ｙに代えて図７の表示電極Ｘｂ，Ｙｂを配置してもよい。【００３５】
プラズマディスプレイパネル３においては、隔壁２４の水平壁部分２６によって垂直方向のセル間の放電干渉が防止されるので、表示を乱す放電の過剰な拡がりが起こらない。そして、水平壁部分２６に蛍光体を配置することで発光面積を増大させることができる。【００３６】
このプラズマディスプレイパネル３においても、面放電ギャップの近傍に存在する金属帯１５，１６のバス部分１５１，１５２，１６１，１６２によって背景発光が低減される。【００３７】
〔第３実施形態〕図９が示すプラズマディスプレイパネル４は表示電極Ｘｃ，Ｙｃとメッシュ状の隔壁２４とを備える。表示電極Ｘｃは、金属帯１５と、金属帯１５における第１のバス部分１５１と接し且つ当該第１のバス部分１５１から隔壁２４の水平壁部分２６を覆わないように第２のバス部分１５２へ向かって張り出す第１の透明導体１３ｃと、第２のバス部分１５２と接し且つ当該第２のバス部分１５２から水平壁部分２６を覆わないように第１のバス部分１５１へ向かって張り出す第２の透明導体１３ｄとから構成される。同様に、表示電極Ｙｃは、金属帯１６と、金属帯１６における第１のバス部分１６１と接し且つ当該第１のバス部分１６１から隔壁２４の水平壁部分２６を覆わないように第２のバス部分１６２へ向かって張り出す第１の透明導体１４ｃと、第２のバス部分１６２と接し且つ当該第２のバス部分１６２から水平壁部分２６を覆わないように第１のバス部分１６１へ向かって張り出す第２の透明導体１４ｄとから構成される。このような表示電極Ｘｃ，Ｙｃの透明導体パターンは、図８のプラズマディスプレイパネル３の透明導体１３，１４における水平壁部分２６を覆う部分およびその近傍を除いたパターンである。【００３８】
図９と図８との対比からよく分かるように、プラズマディスプレイパネル４では隔壁２４の水平壁部分２６の近傍に透明導体１３ｃ，１３ｄ，１４ｃ，１４ｄの端縁が存在する。このことが次のとおり表示の輝度を高める効果を奏する。【００３９】
図１０のように、セル５１の面放電ギャップ６０において表示放電６５が生じるとき、電極の端縁で電界が強まることから、プラズマディスプレイパネル４では隔壁２４の水平壁部分２６の近傍の放電強度がプラズマディスプレイパネル３と比べて大きい。図示のように蛍光体２７ｂは背面側の誘電体層２２の表面と水平壁部分２６の側面とに配置されているので、水平壁部分２６の近傍の放電強度が大きいことは水平壁部分２６の側面の蛍光体の励起効率を高めて発光量を増大させる。【００４０】
〔第４実施形態〕図１１が示すプラズマディスプレイパネル５は表示電極Ｘｄ，Ｙｄとメッシュ状の隔壁２４とを備える。表示電極Ｘｄは、金属帯１５ｂと２本の帯状の透明導体１３ｅ，１３ｆとから構成される。金属帯１５ｂは２本のバス部分１５１，１５２と接続部分１５３ｂとからなる。透明導体１３ｅはバス部分１５１を覆い且つバス部分１５１からバス部分１５２へ向かって張り出す。透明導体１３ｆはバス部分１５２を覆い且つバス部分１５２からバス部分１５１へ向かって張り出す。同様に、表示電極Ｙｄは、金属帯１６ｂと２本の帯状の透明導体１４ｅ，１４ｆとから構成される。金属帯１６ｂは２本のバス部分１６１，１６２と接続部分１６３ｂとからなる。透明導体１４ｅはバス部分１６１を覆い且つバス部分１６１からバス部分１６２へ向かって張り出す。これら表示電極Ｘｄ，Ｙｄのそれぞれにおいて、幅方向の両端部に遮光体である金属帯１５ｂ，１６ｂのバス部分が配置されている。【００４１】
図示の例では隔壁２４の水平壁部分２６を覆わないように透明導体１３ｅ，１３ｆ，１４ｅ，１４ｆが配置されているので、図９のプラズマディスプレイパネル４と同様にプラズマディスプレイパネル５においても水平壁部分２６の側面の発光量が多い。ただし、本実施形態は透明導体１３ｅ，１３ｆ，１４ｅ，１４ｆが隔壁２４の水平壁部分２６を覆わない構造に限定されない。【００４２】
本実施形態の特徴は、第２の表示電極Ｙｄの透明導体１４ｅ，１４ｆの幅Ｗ１４が第１の表示電極Ｘｄの透明導体１３ｅ，１３ｆの幅Ｗ１３よりも大きいことである。透明導体１４ｅ，１４ｆの間隔と透明導体１３ｅ，１３ｆの間隔とが等しいので、第２の表示電極Ｙｄの幅Ｗｙは第１の表示電極Ｘｄの幅Ｗｘよりも大きい。【００４３】
第２の表示電極Ｙｄはアドレッシングにおいて表示ライン選択のためのスキャン電極である。スキャン電極の透明導体１４ｅ，１４ｆを太くすることによって、図示しないアドレス電極Ａ（図１参照）との対向面積が大きくなり、アドレス放電ミスの発生確率が減少する。【００４４】
本実施形態のように第１の表示電極Ｘｄを相対的に細くすることによって、アドレス放電ミスの発生を抑えつつセルサイズの縮小を図ることができる。ただし、面放電ギャップに対する表示電極の配置が非対称になり、第２の表示電極の側が第１の表示電極の側よりも明るいという輝度の偏りがセル内に生じる。このような輝度の偏りは、明暗の輝度差の明部の輝度に対する割合が約７〜８％以下であれば実用において許容される。このことから、実用の上で、表示電極Ｙｄの放電部の面積（Ｓｙ）を表示電極Ｘｄの放電部の面積（Ｓｘ）の１．３倍以下（１＜Ｓｙ＜１．３Ｓｘ）とするのが望ましい。金属帯のバス部分の幅または局所的な形状の選定によって第１の表示電極Ｘｄと第２の表示電極Ｙｄとの間で遮光面積を異ならせ、それによって輝度の偏りを補正することもできる。【００４５】
以上の第１、第２、第３、第４の実施形態において、表示電極の材質は次のとおりである。ただし、次の例示に限られるものではない。金属帯１５，１５ｂ，１６，１６ｂは例えばクロム−銅−クロムの複層の薄膜をフォトリソグラフィでパターニングすることにより得られる。または銀ペーストに代表される導体ペーストを印刷して焼成することによって金属帯１５，１５ｂ，１６，１６ｂを形成することもできる。金属帯を厚膜導体とする場合、黒色顔料を含む下層と導電性の高い上層とで構成すれば、管面反射率をより低減することができる。透明導体１３，１３ｂ，１３ｃ，１３ｄ，１３ｅ，１４，１４ｂ，１４ｃ，１４ｄ，１４ｅはパターニングされたＩＴＯ（酸化インジウム・スズ）または酸化錫の薄膜であり、金属帯１５，１５ｂ，１６，１６ｂの形成に先立ってガラス基板１１上に形成される。【００４６】
第１、第２、第３、第４の実施形態においては、各表示電極の金属帯が２本のバス部分をもつので、従来例と比較して画面内に配置される遮光帯の本数が２倍である。画面における金属帯の占める面積（遮光面積）が従来例と同じであったとしても、遮光帯の本数の多い方が非遮光領域が細分されて管面反射率の低減効果が大きい。なお、画面に斜めに入射する外光に対してバス部分（遮光帯）が作る陰はバス部分よりも太い。
【産業上の利用可能性】
【００４７】
本発明は、プラズマディスプレイパネルによる表示のコントラストの向上に貢献する。
【図１】
2008020484.tif 000003
【図２】
2008020484.tif 000004
【図３】
2008020484.tif 000005
【図４】
2008020484.tif 000006
【図５】
2008020484.tif 000007
【図６】
2008020484.tif 000008
【図７】
2008020484.tif 000009
【図８】
2008020484.tif 000010
【図９】
2008020484.tif 000011
【図１０】
2008020484.tif 000012
【図１１】
2008020484.tif 000013
【国際調査報告】
2008020484.tif 000014
2008020484.tif 000015
2008020484.tif 000016
2008020484.tif 000017
2008020484.tif 000018
2008020484.tif 000019
2008020484.tif 000020
2008020484.tif 000021